(57)【要約】      （修正有）【課題】オルゴール入りの箱を筺体（響鳴箱）に置いたままの状態で、ゼンマイの巻上げをモータ駆動することで、オルゴール入りの箱を持ち上げる事無く高音量・高音質のオルゴール演奏を実現し、必要に応じて複数回の連続演奏も可能としたオルゴールの自動巻上装置を提供する。【解決手段】巻上軸１ａに軸を回転させる巻上歯車４と、一対の爪組２、３が設けられた巻上プレート１が一体で回転する様に設けられ、巻上軸と同軸上に、爪軸の開閉を制御する一体のカム板とカム歯車５があり、巻上歯車とカム歯車は歯数が相違し、モータ１２の駆動でピニオン７が回転すると、巻上プレートとカム板の回転数に差が生じる事に拠り、オルゴールの巻鍵でゼンマイを巻上げる時は爪組が閉じ、ゼンマイの巻上げが完了すると爪組が開く。【選択図】図１
0003221764.tif 000002
【実用新案登録請求の範囲】
【請求項１】
オルゴールを収納した箱を筺体に置いた状態でゼンマイを巻上げ後、ゼンマイの巻戻りによってオルゴールの演奏を行う装置において、オルゴールの巻鍵に開閉自在の爪組を臨ませ、モータ駆動によりゼンマイを巻上げている時は、爪組が閉じて巻鍵と係合して一体回転し、巻上げ後は爪組が開き、モータ駆動が停止すると共に、ゼンマイの巻戻りを阻止することなくオルゴール演奏を可能とした自動巻上装置。
【請求項２】
請求項１に記載した一筺体は、オルゴールの音質・音量を向上させる響鳴箱とする事を特徴とするオルゴール装置。
【請求項３】
請求項１に記載したモータ駆動によりゼンマイを巻上げる装置において、ゼンマイを完全に巻上げ後、演奏を開始してから終了するまでを１回演奏とし、複数回の連続自動演奏を可能とした自動巻上装置。
【考案の詳細な説明】
【技術分野】
【０００１】  本考案は、ゼンマイ巻上式オルゴールの巻鍵を手動でなく、自動で巻鍵を巻上げることにより、オルゴールを演奏させる装置に関する。
【背景技術】
【０００２】  中・大型の箱に入ったゼンマイ巻上式オルゴール装置があるが、演奏終了が終わった後、その都度、片手でオルゴールの入った箱を持ち上げ、もう一方の手で巻鍵を操作してゼンマイの巻上げをしなくてはならず、演奏が終了する度に同じ動作を繰り返す必要がある。【０００３】
【特許文献１】実願昭５１−１２１３０
【特許文献２】実願昭４８−１４５４９７
【考案の概要】
【考案が解決しようとする課題】
【０００４】  実願昭５１−１２１３０では、オルゴールを収納した箱の蓋などの開閉によってゼンマイを巻上げ、ゼンマイ巻き戻りによりオルゴールの演奏を行うオルゴール装置に関する提案がなされているが、ゼンマイの巻上げ量が限られており、ドラムの１回転のみしか演奏しないという制約がある構造となっている。更に実願昭４８−１４５４９７では、モータ駆動でゼンマイを巻上げるだけでなく、ハンドル操作でゼンマイの巻上量を任意加減できる機構が提案されているが、巻上げ用の爪と巻上げられ用の爪を噛み合わせて、ゼンマイを巻上げる構造なので、各爪を分離して噛み合わせを解除しない限り、ゼンマイが巻き戻らないという制約がある。
【課題を解決するための手段】
【０００５】    本考案は、筺体を響鳴箱とし、その中に自動巻上装置を収納させ、オルゴール入りの箱を響鳴箱に置いたままの状態で、ゼンマイの巻上げをモータ駆動により実施することで、オルゴール入りの箱を持ち上げる事無く高音量・高音質のオルゴール演奏を実現し、必要に応じて複数回の連続演奏も可能とした。
【考案の効果】
【０００６】    この結果、力の弱い子供や高齢者、身障者の方でも中・大型オルゴールの気軽に楽しめる様になるだけでなく、連続して高音量・高音質でオルゴール演奏させる事で、バックグラウンドミュージック（ＢＧＭ）や音楽療法など今まで実現出来なかった新分野への用途展開が可能となる。
【図面の簡単な説明】
【０００７】
【図１】自動巻上装置の上方向立体図である。
【図２】自動巻上装置の下方向立体図である。
【図３】自動巻上装置の巻上時の巻上プレート部の拡大立体図である。
【図４】自動巻上装置の巻上完了時の巻上プレート部の拡大立体図である。
【図５】箱入りオルゴールの下方向立体図である。
【図６】筺体入り自動巻上装置の立体図である。
【図７】筺体に箱入りオルゴールをセットした立体図である。
【考案を実施するための形態】
【０００８】  自動巻上装置が収納されている筺体を響鳴箱とし、その上にオルゴール入りの箱をセットしてモータを駆動させると、巻鍵と巻上プレートに保持されている爪組が係合しゼンマイを巻上げ、巻上げが完了すると巻鍵と爪組の係合が外れ、オルゴールの演奏で巻鍵が逆方向に回転しても演奏を阻害する事が無いようにした。
【実施例】
【０００９】  以下、図に従って自動巻上装置の実施例を説明する。図１、２で示すように、１６下板には１２モータが固定されモータ軸には１１ウォームが一体固定されている。１０ウォーム歯車は７駆動ピニオンと１０ａ歯車軸に一体固定され、１６下板と１９支柱Ｂに固定されている１７中板により回転自在に支持され、１１ウォームと１０ウォーム歯車が噛み合っており１２モータが回転すると、１０ウォーム歯車及び４巻上歯車が減速回転する。【００１０】  １ａ巻上軸は、１６下板に固定されている１８支柱Ａに固定の１５上板に回転自在に支持され、４ａボスに４ｂ溝部をもつ４巻上歯車が１ａ巻上軸に嵌合しているが、１ｃ駆動ピンが４ｂ溝部と係合しているので、１ａ巻上軸と一体回転する。又図２で示すように、５ｂスペーサの上部には５ａボスを持つ５カム歯車が、６カム板に固定されている６ｂ軸部に嵌合しているが、６ｃＤカット部の作用で５カム歯車と６カム板は一体回転する。【００１１】  ８巻上ピニオンと９カムピニオンの歯数は同じ２０枚で、９ａピニオン軸で一体固定され、９ａピニオン軸は１６下板と１５上板で回転自在に支持されており、８巻上ピニオンは歯数が７８枚の４巻上歯車に、９カムピニオンは歯数が７２枚の５カム歯車にそれぞれ噛み合っている。従って、５カム歯車は１２（７２／６）回転すると４巻上歯車が１３（７８／６）回転、５カム歯車が６回転で４巻上歯車は６．５回転、５カム歯車が１回転では４巻上歯車は１回転＋３０°（１８０／６）回転する。【００１２】  １ｂガイド部を持つ１ａ巻上軸の上部には、１巻上プレートが一体固定されているが、その上面には２爪組が２ｃ軸を支点として回動自在に支持され、２ｂ接触片とは２ａ板バネにより連結されており、３爪組も全く同じ構成で２爪組と対をなしている。更に、５カム歯車と６カム板が回転開始から６回転目で２ｂ接触片が、６カム板の外周部に設けられた２ヶ所の６ａ凹部突入し、６回転目以降は２ｂ接触片が６ａ凹部から飛び出す様に設定されている。【００１３】  １５上板には１３マイクロスイッチが固定されているが、前記の様に６カム板が６回転目で２ｂ接触片が６ａ凹部に突入すると、２ｂ接触片には嵌合している２ｄスイッチ棒が移動して１４スイッチレバーに当接する事により１３マイクロスイッチをＯＦＦにして１２モータを停止させる。起動スイッチ（図略）を入れると２ｂ接触片が６ａ凹部から飛び出し、１４スイッチレバーが元の位置に復帰するので、１３マイクロスイッチはＯＮとなり回転が継続する。【００１４】  次に２１オルゴール本体の２０巻鍵を巻上げる動作を実施例を図３、４に基づき説明する。図３は１巻上プレートが矢印方向に回転してゼンマイを巻上げる時の図であるが、前述のように２ｂ接触片は６カム板の外周部に留まっているので２、３爪組が閉じた状態に有り、２０巻鍵の２０ａ先端部が２．３爪組の２ｅ凸部に係合し、１巻上プレートと２、３爪組、２０巻鍵は一体となって回転するのでゼンマイが巻上げられる。【００１５】  図４はゼンマイの巻上げが完了して２、３爪組が開きオルゴールの演奏が開始された時の図である。前述のように巻上げ開始から６カム板が６回転目になると、２ｂ接触片が６ａ凹部に突入するので、２ｄ��イッチ棒が矢印方向に移動して１４スイッチレバーを回動させ、１３マイクロスイッチをＯＦＦにするので１２モータが停止する。通常オルゴールのゼンマイは２０巻鍵を５回転させると巻上げが完了するので、この時既にオルゴールのゼンマイは完全に巻き上がっており、更に６カム板が６回転目で停止しているので、２．３爪組が開いたままの状態を維持しており、２０巻鍵は矢印方向に自在に回転可能となりオルゴールの演奏が始まる。【００１６】  尚、オルゴールの演奏が途中で止まった状態、つまりゼンマイが完全に巻戻っていない状態で巻上げを実施すると、２０巻鍵が回転を停止後も１巻上プレートと２、３爪組は停止することなく回転を継続するが、２ａ板バネの作用により２爪組の２ｅ凸と２０巻鍵の２０ａ先端部の係合が強制的に外され、図４で示すように２，３爪組が開くので、２０巻鍵は停止したままであり、巻き過ぎによるゼンマイの破損はない。【００１７】  次に２１オルゴール本体が入った２２箱を２３筺体にセットし、２３筺体の中に収納した自動巻上装置でゼンマイを巻上げる動作を図５，６，７に基づき説明する。２０巻鍵の中心部には、１ｂガイド部と係合して２，３爪組による巻上げ動作をより安定させる為の２０ｂガイド穴が設けられている。２３筺体の上面にはの２３ａ穴があるが、１巻上プレートがこの穴から顔をのぞかせ、２２箱が２３筺体セットされた時、２０ｂガイド穴と１ｂガイド部が係合する様に設定されている。【００１８】  図７は２３筺体に２２箱がセットされている状態であるが、オルゴールを巻上げる時には２２箱には回転力が加わるので、２３ｂ側板が２２箱の両サイドでその回転を停止させる作用をしている。尚、２３ｂ側板は２３ｃスライド棒により保持され、２２箱のサイズに合わせて移動できる構造となっている。【００１９】  前述の通り、１２モータの起動をスタートさせ、自動巻上装置が２０巻鍵を巻上げが完了すると、オルゴールの演奏が始まりその後、所定時間が経過すると演奏が終了するが、その後も自動的に連続してオルゴール演奏を楽しみたい場合は、２３筺体の内部に内蔵されているシーケンス回路制御モードに切り替え、１２モータ起動の時点から所定の時間が経過した時点で再び１２モータが起動する様に、予めシーケンス回路に動作手順を覚えさせてあるので、オルゴールを自動的に連続して所定回数だけ演奏させる事が出来る。シーケンス回路は、１２モータの起動時刻や起動開始の間隔時間、回数をその用途に応じて自由に設定が可能である。（シーケンス回路の図は略）
【符号の説明】
【００２０】１  巻上プレート
１ａ  巻上軸
１ｂ  ガイド部
１ｃ  駆動ピン
２  爪組
２ａ  板バネ
２ｂ  接触片
２ｃ  軸
２ｄ  スイッチ棒
２ｅ  凸部
３  爪組
４  巻上歯車
４ａ  ボス
４ｂ  溝部
５  カム歯車
５ａ  ボス
５ｂ  スペーサ
６  カム板
６ａ  凹部
６ｂ  軸部
６ｃ  Ｄカット部
７  駆動ピニオン
８  巻上ピニオン
９  カムピニオン
９ａ  ピニオン軸
１０  ウォーム歯車
１１  ウォーム
１２  モータ
１３  マイクロスイッチ
１４  スイッチレバー
１５  上板
１６  下板
１７  中板
１８  支柱Ａ
１９  支柱Ｂ
２０  巻鍵
２０ａ  先端部
２０ｂ  ガイド穴
２１  オルゴール本体
２２  箱
２３  筺体
２３ａ  穴
２３ｂ  側板
２３ｃ  スライド棒
【図１】
0003221764.tif 000003
【図２】
0003221764.tif 000004
【図３】
0003221764.tif 000005
【図４】
0003221764.tif 000006
【図５】
0003221764.tif 000007
【図６】
0003221764.tif 000008
【図７】
0003221764.tif 000009
【手続補正書】
【提出日】平成31年3月25日(2019.3.25)
【手続補正１】
【補正対象書類名】実用新案登録請求の範囲
【補正対象項目名】全文
【補正方法】変更
【補正の内容】
【実用新案登録請求の範囲】
【請求項１】
巻上軸にはこの軸を回転させる巻上歯車と、一対の爪組が設けられた巻上プレートが一体で回転する様に設けられ、この巻上軸と同軸上には、爪軸の開閉を制御する一体のカム板とカム歯車があるが、巻上歯車とカム歯車はそれぞれ歯数が相違しているので、モータ駆動でピニオンが回転すると、巻上プレートとカム板の回転数に差が生じる事に拠り、オルゴールの巻鍵でゼンマイを巻上げる時は爪組が閉じ、ゼンマイの巻上げが完了すると爪組が開く事を特徴とする自動巻上装置。
【請求項２】
前記自動巻上装置を内部に収納し、その上部にゼンマイを巻上げ演奏させるオルゴール入りの箱を置く筺体が、オルゴールの音質や音量を向上させる響鳴箱であることと特徴とする請求項１に記載の自動巻上装置。